(57)【要約】【課題】  本体ケースの側面に操作部を配置したものにおいて、男性が小便を行う等により便座を開いた場合に、操作部への汚物の付着を防止する事を目的とするものである。【解決手段】  本体ケースに、便座とこの便座を被覆する便蓋とを開閉自在に枢支すると共に、本体ケースの少なくとも一方の側面に、先端が便座の側面に沿って前方に延設する操作部を設けたものにおいて、この操作部を本体ケースに回転可能に枢支すると共に、便座を開くとこれに連動して操作部を回転して本体ケースの側面に立設する連動手段を設けて成る。【選択図】        図１
2005290967.tif 000002
【特許請求の範囲】
【請求項１】
本体ケースに、便座とこの便座を被覆する便蓋とを開閉自在に枢支すると共に、上記本体ケースの少なくとも一方の側面に、先端が上記便座の側面に沿って前方に延設する操作部を設けたものにおいて、この操作部を上記本体ケースに回転可能に枢支すると共に、上記便座を開くとこれに連動して操作部を回転して本体ケースの側面に立設する連動手段を設けた事を特徴とする衛生洗浄便座。
【請求項２】
本体ケースに、便座とこの便座を被覆する便蓋とを開閉自在に枢支すると共に、上記本体ケースの少なくとも一方の側面に、先端が上記便座の側面に沿って前方に延設する操作部を設けたものにおいて、この操作部を上記本体ケースに回転可能に枢支すると共に、上記便蓋が閉じた状態では操作部を立設し、便蓋を開くとこれに連動して操作部を便座の側面に横設し、便蓋と便座を開くとこれに連動して操作部を立設する連動手段を設けた事を特徴とする衛生洗浄便座。
【請求項３】
上記連動手段を機械的な機構により構成した事を特徴とする、上記請求項１〜２に記載の衛生洗浄便座。
【請求項４】
上記連動手段をモータ等の電気的な機構により構成した事を特徴とする、上記請求項１〜２に記載の衛生洗浄便座。
【請求項５】
上記連動手段を、便座の側面より操作部に向けて突設したアームと、操作部に設けられ上記アームをガイドするガイド溝により構成した事を特徴とする、上記請求項１に記載の衛生洗浄装置。
【発明の詳細な説明】
【技術分野】
【０００１】
本発明は、主に洋式便器に装着して使用され、便座に着座した人体の肛門等に向けて洗浄水を噴出する噴出ノズルを備えた衛生洗浄便座に関する。
【背景技術】
【０００２】
肛門等に向けて洗浄水を噴出する局部洗浄ノズルを備えた衛生洗浄便座で、特に例えば特許文献１に示される様に、本体ケースの側面に袖部１Ａを設け、この袖部に操作ボタン１Ｂを配置したものでは、男性が便座２を持ち上げて小便を行う場合、尿が袖部に飛散して付着し、操作ボタン等が汚れ易いという問題がある。
【特許文献１】特開平１０−２９９０５９号公報
【発明の開示】
【発明が解決しようとする課題】
【０００３】
一方、近年上記本体ケースの側面に操作部を設けないで、リモコンにより操作を行うものが主流となりつつあるが、リモコンの場合、電池が消耗して使えなくなる可能性があると共に、リモコン用の送受信回路によりコストアップを招き、製品の原価が高くなるという問題がある。
【０００４】
そこで本発明は、本体ケースの側面に操作部を装着したものにおいて、操作部への小便等の付着による汚れを極力防止する事を目的とするものである。
【課題を解決するための手段】
【０００５】
本発明の請求項１の構成は、本体ケースに、便座とこの便座を被覆する便蓋とを開閉自在に枢支すると共に、本体ケースの少なくとも一方の側面に、先端が便座の側面に沿って前方に延設する操作部を設けたものにおいて、この操作部を本体ケースに回転可能に枢支すると共に、便座を開くとこれに連動して操作部を回転して本体ケースの側面に立設する連動手段を設けて成るものである。
【０００６】
本発明の請求項２の構成は、本体ケースに、便座とこの便座を被覆する便蓋とを開閉自在に枢支すると共に、本体ケースの少なくとも一方の側面に、先端が便座の側面に沿って前方に延設する操作部を設けたものにおいて、この操作部を本体ケースに回転可能に枢支すると共に、便蓋が閉じた状態では操作部を立設し、便蓋を開くとこれに連動して操作部を便座の側面に横設し、便蓋と便座を開くとこれに連動して操作部を立設する連動手段を設けて成るものである。
【０００７】
本発明の請求項３の構成は、請求項１又は請求項２の構成において、連動手段を機械的な機構により構成したものである。
【０００８】
本発明の請求項４の構成は、請求項１又は請求項２の構成において、連動手段をモータ等の電気的な機構により構成したものである。
【０００９】
本発明の請求項５の構成は、請求項１の構成において、連動手段を、便座の側面より操作部に向けて突設したアームと、操作部に設けられアームをガイドするガイド溝により構成したものである。
【発明の効果】
【００１０】
本発明の請求項１に記載の構成により、操作部を便座の開放に連動して本体ケースの側面に立設する様に構成したことで、便座を持ち上げて小便を行う場合には、操作部を便座の側面から遠ざけることにより、小便の飛散による操作部への付着を極力防止する事が出来るものである。
【００１１】
本発明の請求項２に記載の構成により、連動手段により、便蓋が閉じている場合にも操作部を本体ケースの側面に立設する様に構成したことで、トイレルームへの出入り時や床面の掃除時に操作部が邪魔にならないと共に、操作部への埃等の付着を極力防止する事が出来るものである。
【００１２】
本発明の請求項３に記載の構成により、便座の回転と操作部の回転とを連動させる連動手段を機械的な機構により構成したことで、連動手段を比較的安価に構成出来、連動手段の追加によるコストアップを低減する事が出来るものである。
【００１３】
本発明の請求項４に記載の構成により、連動手段をモータ等の電気的な機構により構成したことで、便座の回転軸と操作部の枢支部分部分とを連結する機構が不要となり、本体ケース内に連結機構用の配置スペースを確保する必要がなく、本体ケースの小型化を計る事が出来るものである。
【００１４】
本発明の請求項５に記載の構成により、連動機構を本体ケースの外に配置することが可能となり、連動機構の追加による本体ケースの大型化を防ぐ事が出来るものである。
【発明を実施するための最良の形態】
【００１５】
本発明の実施例を先ず図１及び図２に基づき説明すると、１は洋式便器２の上に着脱自在或いは着脱可能に載置された衛生洗浄便座で、本体ケース３に便座４と便蓋５とを上下方向に開閉自在に枢支している。
【００１６】
又、上記本体ケース３内には、上記便座４に着座した人体の局部に向けて洗浄水を噴出する図示しない洗浄ノズルを伸縮自在に収納配置していると共に、この洗浄ノズルに洗浄用の温水を供給する温水タンクや、洗浄ノズルからの温水の噴出を制御するバルブ、このバルブを制御する制御回路等を内蔵している。
【００１７】
更に上記本体ケース３の一方の側面には給水管６を突設し、この給水管にフレキシブルな配管ホース７を接続していると共に、この配管ホースは、分岐水栓８を介して市水等の水道管９に接続している。
【００１８】
又、上記本体ケース３の一方の側面には、前方が上記便座４の側面に沿って延設された操作部１０を回転可能に枢支し、この操作部の上面に複数の操作ボタン１１・・や表示器１２等を配置した操作面１０ａを設けている。
【００１９】
一方、上記操作部１０は図２にても示す様に枢支軸１３により枢支していると共に、この枢支軸にアーム１４を一体回転状態に連結し、かつ上記便座４の枢支軸１５にも連動アーム１６を一体回転状態に連結し、この連動アームと上記アーム１４とを連結棒１７により連結することで、便座４を開くと、これら連動手段により枢支軸１５と枢支軸１３とを連動させ、図３にて示す様に操作部１０を立設する様に構成している。
【００２０】
これらの構成により、男性が小便を行う等により便座４を持ち上げて開くと、上記連動手段により操作部１０を回転して立設することで、この操作部を洋式便器２の開口部１８より遠ざけ、尿の飛散による操作部１０への付着を防止出来るものである。
【００２１】
尚、上記実施例では、便座４と操作部１０との連動手段にアーム１４、連動アーム１６、連結棒１７等の機械的な機構を用いており、これらの機構により連動手段を比較的安価に構成する事が出来るが、これに限定されることなく、例えばモータ等の電気的手段により枢支軸１３を直接或いは歯車等の減速機構により回転駆動しても良い。
【００２２】
更に上記実施例ではアーム１４、連動アーム１６、連結棒１７の組み合わせにより操作部１０を連動する様に構成しているが、例えば枢支軸１３，１５に歯車を連結し、この歯車に歯付きベルトを掛けて連動させても良く、この場合、歯車の直径を異ならせて便座４の回転角度と操作部１０の回転角度が異なる様に構成しても良い。
【００２３】
図４は本発明の他の実施例を示すもので、便蓋５の枢支軸２０の周囲に、この枢支軸の回転位置を検出することで便蓋５の開閉操作を検出する便蓋開閉センサ２１を配設すると共に、上記便座４の枢支軸１５の周囲にも、便蓋５と同様にこの便蓋の開閉操作を検出する便座開閉センサ２２を配設し、かつ上記操作部１０の枢支軸１３にモータ２３の回転によって操作部１０を水平状態と垂直状態に回転駆動する電動駆動ユニット２４を配設し、図示しないマイクロコンピュータ等にて構成した制御手段により、上記便蓋開閉センサ２１や便座開閉センサ２２の出力にて便蓋５や便座４の開閉操作を検出し、便蓋５が閉じている時には操作部１０を略垂直に立設し、便蓋５が開かれると操作部１０を便座４の横に横設し、便蓋５と便座４が開かれると再び操作部１０を略垂直に立設する様に構成し、これらにて連動手段を構成している。
【００２４】
これらの構成により、便蓋５が閉じている場合にも操作部１０を立設することで、衛生洗浄便座１を使用しない時には便蓋５を閉じることで、トイレルームへの出入り時や、床面の掃除時に操作部が邪魔にならず、使い勝手が良くなると共に、従来の様に常に操作部１０を便座４の横に横設したものに比べ、操作面１０ａへの埃等の付着を防止する事が出来るものである。
【００２５】
尚、上記実施例では、便座４や便蓋５の開閉を便蓋開閉センサ２１や便座開閉センサ２２により検出しているが、リモコンにより便座４や便蓋５をモータにより電気的に開く場合には、リモコン操作に連動して操作部１０を回転させる様に構成しても良く、便蓋５と操作部１０との連動手段を機械的な構成により構成しても良い。
【００２６】
図５は本発明の更に他の実施例を示すもので、本体ケース３に操作部１０を開閉自在に枢支すると共に、例えば図６にて示す様に操作部１０の底部に、便座４の側面に対向して開口したガイド溝３１を形成し、かつこのガイド溝に対向して便座４の側面にアーム３２を突設し、このアームの先端をガイド溝３１内に係入することで連動手段を構成し、便座４を開くとアーム３２により操作部１０を回転して立設する様に構成している。
【００２７】
これらの構成により、便座４の開閉と操作部１０とを連動する連動手段を本体ケース３内に設ける必要がなく、本体ケース３の小型化を図る事が出来ると共に、ガイド溝３１とアーム３２による比較的簡単な構成にて便座４と操作部１０を連動出来るものである。
【図面の簡単な説明】
【００２８】
【図１】本発明の実施例を示す斜視図である。
【図２】同じく要部の側面縦断面図である。
【図３】同じく要部の側面図である。
【図４】本発明の他の実施例を示す要部の側面縦断面図である。
【図５】本発明の更に他の実施例を示す要部の側面縦断面図である。
【図６】図５中のＡ−Ａ断面図である。
【符号の説明】
【００２９】
３    本体ケース
４    便座
５    便蓋
１０  操作部
３１  ガイド溝
３２  アーム
【図１】
2005290967.tif 000003
【図２】
2005290967.tif 000004
【図３】
2005290967.tif 000005
【図４】
2005290967.tif 000006
【図５】
2005290967.tif 000007
【図６】
2005290967.tif 000008